(57)【要約】スペクトラム拡散受信機においてコヒーレント干渉源により誘発された干渉を除去する方法は、第１のスペクトラム拡散物理チャネル（Ｐ−ＣＣＰＣＨ；ＣＰＩＣＨ）上のシンボルにおけるコヒーレント干渉源（ＳＣＨ）によって誘発された第１の干渉値を定量化するステップ（４４；９４）と、第２のスペクトラム拡散チャネル（ＤＰＣＨ）上のシンボルにおけるコヒーレント干渉源によって誘発された第２の干渉値を、第１の干渉値から算出するステップ（４６，４８，５０；９６，９８，１００）と、第２の干渉値から得られた補正値を、第２のスペクトラム拡散チャネル上のシンボルに適用するステップ（１８；７４）と、を有する。
2008530824.tif 000002
【特許請求の範囲】
【請求項１】
スペクトラム拡散受信機においてコヒーレント干渉源によって誘発された干渉を除去する方法であって、
第１のスペクトラム拡散物理チャネル上のシンボルにおける前記コヒーレント干渉源によって誘発された第１の干渉値を定量化するステップと、
第２のスペクトラム拡散チャネル上のシンボルにおける前記コヒーレント干渉源によって誘発された第２の干渉値を、前記第１の干渉値から算出するステップと、
前記第２の干渉値から得られた補正値を、前記第２のスペクトラム拡散チャネル上のシンボルに適用するステップと、
を有する方法。
【請求項２】
前記コヒーレント干渉源と前記第１のスペクトラム拡散チャネル上で受信されたシンボルとの間の第１の相互相関を決定するステップと、
前記第１の相互相関から倍数を導出し、前記第１のスペクトラム拡散チャネルからシンボル電力の推定値を導出するステップと、
前記コヒーレント干渉源と第２のスペクトラム拡散チャネル上で受信されたシンボルとの間の第２の相互相関を決定するステップと、
前記第２の相互相関に前記倍数を適用することにより、スケーリングされた第２の相互相関を導出するステップと、
前記第２のスペクトラム拡散チャネル上のシンボルに、前記スケーリングされた相互相関を適用するステップと、
をさらに含む、請求項１に記載の方法。
【請求項３】
前記第１のスペクトラム拡散チャネル上のシンボルの電力が所定のしきい値を越えない場合に、前記第２のスペクトラム拡散チャネル上の引き続くシンボルに適用するために、前記スケーリングされた相互相関値をバッファに格納するステップをさらに含む、請求項２に記載の方法。
【請求項４】
無線リンクごとに第１の相互相関値を１度だけ決定するステップをさらに含む、請求項２または３に記載の方法。
【請求項５】
無線リンクごとに１度だけ、または前記第２のスペクトラム拡散受信機チャネルに関連づけられたチャネル化符号が変化したときに、第２の相互相関値を決定するステップをさらに含む、請求項２乃至４のいずれか１項に記載の方法。
【請求項６】
前記スペクトラム拡散受信機はＷ−ＣＤＭＡ受信機である、請求項１乃至５のいずれか１項に記載の方法。
【請求項７】
前記コヒーレント干渉源は、Ｗ−ＣＤＭＡシステムにおける同期チャネルＳＣＨ上で送信されたシンボルである、請求項１乃至６のいずれか１項に記載の方法。
【請求項８】
前記第２のスペクトラム拡散チャネルは、Ｗ−ＣＤＭＡシステムにおける個別物理チャネルＤＰＣＨである、請求項１乃至７のいずれか１項に記載の方法。
【請求項９】
前記第１のスペクトラム拡散チャネルは、Ｗ−ＣＤＭＡシステムにおけるプライマリ共通制御物理チャネルＰ−ＣＣＰＣＨであり、該プライマリ共通制御物理チャネルＰ−ＣＣＰＣＨは、前記同期チャネルＳＣＨ上でのシンボルの送信中にはシンボルを送信しない、請求項１乃至８のいずれか１項に記載の方法。
【請求項１０】
前記第１のスペクトラム拡散チャネルからのシンボル電力の推定値は、前記同期チャネルＳＣＨ上で送信されたシンボルと一時的にオーバーラップする前記第１のスペクトラム拡散物理チャネル上で誘発されたシンボルから決定される、請求項９に記載の方法。
【請求項１１】
前記第１のスペクトラム拡散チャネルは、Ｗ−ＣＤＭＡシステムにおける共通パイロットチャネルＣＰＩＣＨであり、該共通パイロットチャネルＣＰＩＣＨは、前記同期チャネルＳＣＨ上でのシンボルの送信中にシンボルを送信する、請求項１乃至８のいずれか１項に記載の方法。
【請求項１２】
前記第１のスペクトラム拡散チャネルからのシンボル電力の推定値は、前記同期チャネルＳＣＨ上で送信されたシンボルに一時的に隣接する前記第１のスペクトラム拡散チャネル上の１または２以上のシンボルから決定される、請求項１１に記載の方法。
【請求項１３】
請求項１乃至１２のいずれか１項の方法を適用することにより、スペクトラム拡散受信機においてコヒーレント干渉源によって誘発された干渉を除去する干渉信号処理モジュール。
【発明の詳細な説明】
【技術分野】
【０００１】
本発明は、一般に、無線通信システムに関し、特に、スペクトラム拡散受信機においてコヒーレント干渉源によってもたらされる干渉を除去する方法および装置に関する。
【背景技術】
【０００２】
広帯域符号分割多重アクセス（Ｗ−ＣＤＭＡ）システムのような無線通信システムにおいては、種々のチャネルが一緒に多重化され、単一の周波数チャネル上で送信される。同時に同期チャネルのような種々の他のチャネルが、共通の無線リンクを介して送信される。これらのチャネルは、ある送信条件下で互いに干渉を引き起こす可能性がある。例えば、同期チャネルが他の物理チャネルに直交するように制約されていないので、同期チャネルは、他のチャネルにコヒーレントな干渉をもたらす可能性がある。
【発明の開示】
【発明が解決しようとする課題】
【０００３】
スペクトラム拡散方式におけるチャネル間干渉を簡単かつ効果的な方法で低減する方法を提供することが望ましいであろう。
【０００４】
既知の干渉低減方法および装置における１または２以上の問題を改善または克服する、スペクトラム拡散システムにおけるチャネル間干渉を低減する方法および装置を提供することも望ましいであろう。
【課題を解決するための手段】
【０００５】
本発明の一態様は、スペクトラム拡散受信機においてコヒーレント干渉源によって誘発された干渉を除去する方法を提供するものであり、この方法は、
第１のスペクトラム拡散物理チャネル上のシンボルにおける、コヒーレント干渉源によって誘発された第１の干渉値を定量化するステップと、
第２のスペクトラム拡散チャネル上のシンボルにおける、コヒーレント干渉源によって誘発された第２の干渉値を、第１の干渉値から算出するステップと、
第２の干渉値から得られた補正値を、第２のスペクトラム拡散チャネル上のシンボルに適用するステップと、
を含む。
【０００６】
またこの方法は、
コヒーレント干渉源と第１のスペクトラム拡散チャネル上で受信されたシンボルとの間の第１の相互相関を決定するステップと、
第１の相互相関から倍数を導出し、第１のスペクトラム拡散チャネルからシンボル電力の推定値を導出するステップと、
コヒーレント干渉源と第２のスペクトラム拡散チャネル上で受信されたシンボルとの間の第２の相互相関を決定するステップと、
第２の相互相関に倍数を適用することにより、スケーリングされた第２の相互相関を導出するステップと、
第２のスペクトラム拡散チャネル上のシンボルに、スケーリングされた相互相関を適用するステップと、
を含んでいてもよい。
【０００７】
またこの方法は、第１のスペクトラム拡散チャネル上のシンボルの電力が所定のしきい値を越えない場合に、第２のスペクトラム拡散チャネル上の引き続くシンボルに適用するために、スケーリングされた相互相関値をバッファに格納するステップを含んでいてもよい。
【０００８】
またこの方法は、無線リンクごとに第１の相互相関値を１度だけ決定するステップを含んでいてもよい。
【０００９】
またこの方法は、無線リンクごとに１度だけ、または第２のスペクトラム拡散受信機チャネルに関連づけられたチャネル化符号が変化したときに、第２の相互相関値を決定するステップを含んでいてもよい。
【００１０】
好都合に、スペクトラム拡散受信機はＷ−ＣＤＭＡ受信機であってもよい。
【００１１】
コヒーレント干渉源は、Ｗ−ＣＤＭＡシステムにおける同期チャネルＳＣＨのような共通制御チャネル上で送信されたシンボルであってもよい。
【００１２】
第２のスペクトラム拡散チャネルは、ダウンリンク個別物理チャネルであってもよい。この場合、第２のスペクトラム拡散チャネルは、Ｗ−ＣＤＭＡシステムにおける個別物理チャネルＤＰＣＨであってもよい。
【００１３】
第１のスペクトラム拡散チャネルは、Ｗ−ＣＤＭＡシステムにおけるプライマリ共通制御物理チャネルＰ−ＣＣＰＣＨのような共通制御チャネルであってもよく、プライマリ共通制御物理チャネルＰ−ＣＣＰＣＨは、同期チャネルＳＣＨ上でのシンボルの送信中にはシンボルを送信しない。
【００１４】
１つまたは２以上の実施形態において、第１のスペクトラム拡散チャネル（例えばＰ−ＣＣＰＣＨ）からのシンボル電力の推定値は、同期チャネルＳＣＨ上で送信されたシンボルと一時的にオーバーラップする第１のスペクトラム拡散物理チャネル上で誘発されたシンボルから決定されてもよい。
【００１５】
あるいは第１のスペクトラム拡散チャネルは、Ｗ−ＣＤＭＡシステムにおける共通パイロットチャネルＣＰＩＣＨであってもよく、共通パイロットチャネルＣＰＩＣＨは、同期チャネルＳＣＨ上でのシンボルの送信中にシンボルを送信する。
【００１６】
他の実施形態において第１のスペクトラム拡散チャネル（例えばＣＰＩＣＨ）からのシンボル電力の推定値は、同期チャネルＳＣＨ上で送信されたシンボルに一時的に隣接する第１のスペクトラム拡散チャネル上の１または２以上のシンボルから決定されてもよい。
【００１７】
本発明の他の態様は、上で説明した方法を適用することにより、スペクトラム拡散受信機においてコヒーレント干渉源により誘発された干渉を除去する干渉信号処理モジュールを提供する。
【００１８】
以下の説明は、本発明の種々の特徴についてより詳細に言及している。本発明の理解を容易にするために、スペクトラム拡散受信機においてコヒーレント干渉源により誘発された干渉を除去する方法および装置が好ましい実施形態において示されている、添付の図面を参照して説明する。しかしながら、図面に示されているような好ましい実施形態に本発明が限定されないことは、当然に理解されるであろう。
【発明を実施するための最良の形態】
【００１９】
Ｗ−ＣＤＭＡダウンリンクは、１つまたは２以上のダウンリンク個別物理チャネル、１つの共有チャネル、および５つの共通制御チャネルを含んでいる、すなわちそれらは、ダウンリンク個別物理チャネル(Downlink Dedicated Physical Channel)（ＤＰＣＨ）、物理ダウンリンク共有チャネル(Physical Downlink Shared Channel)（ＤＳＣＨ）、プライマリ及びセカンダリ共通パイロットチャネル(Primary and Secondary Common Pilot Channel)（ＣＰＩＣＨ）、プライマリ及びセカンダリ共通制御チャネル(Primary and Secondary Common Control Channel)（ＣＣＰＣＨ）、及び同期チャネル(Synchronaization Channel)（ＳＣＨ）である。ＤＰＣＨは、制御及びデータ情報を含んでいる。Ｗ−ＣＤＭＡ受信機を同期させるために、基地局は、あらかじめ定義されたシンボル系列を有するＣＰＩＣＨを送信する。ＳＣＨはセル探索に使用され、２つのサブチャンネルすなわちプライマリ及びセカンダリ同期チャネルからなる。ＳＣＨは他のチャネルに対して非直交であり、各スロットの最初の２５６チップまたはシンボル中に切り替えられるだけである。プライマリＣＣＰＣＨ(Primary CCPCH)（Ｐ−ＣＣＰＣＨ）は、報知チャネル(Broadcast Chanel)（ＢＣＨ）を運ぶために使用される固定レートのダウンリンク物理チャネルである。Ｐ−ＣＣＰＣＨは、各スロットの最初の２５６チップの間は送信されない。
【００２０】
図１で理解できるように、Ｗ−ＣＤＭＡ受信機は、Ｐ−ＣＣＰＣＨ処理モジュール１０とＤＰＣＨ処理モジュール１２とを含んでいる。これらのモジュールの各々は、ＵＥ（ユーザ装置(user equipment)）フロントエンド１４から入力を受信する。フロントエンド１４は、通常、ＵＥによって受信されたアナログ信号をデジタル信号に変換するために、アナログ処理、サンプリング及び変換モジュール（不図示）を含んでいる。Ｐ−ＣＣＰＣＨ処理モジュール１０は、スクランブリング符号(scrambling code)及び事前に定義されたチャネル化符号(channelization code)を使用して、デジタル化された信号を復調する。ＤＰＣＨ処理モジュール１２は、対応するＤＰＣＨチャネルのスクランブリング符号及びチャネル化符号を使用して、デジタル化された信号を復調する。
【００２１】
強信号条件では、他のＷＣＤＭＡダウンリンクチャネルのＳＣＨに引き起こされた干渉が著しくなる。ＤＰＣＨチャネルにおけるこの干渉の除去を可能にするために、Ｐ−ＣＣＰＣＨ処理モジュール１０は干渉信号処理モジュール１６を含んでおり、干渉信号処理モジュール１６は、ＤＣＨトランスポートモジュール２０にＤＰＣＨ処理モジュール１２を相互接続する干渉キャンセラモジュール１８と協働する。
【００２２】
干渉信号処理モジュール１６のさらに詳細な図が、図２において図式的な形態で示されている。この図から分かるように、干渉信号処理モジュール１６は、Ｐ−ＣＣＰＣＨとＳＣＨとの間の相互相関値とさらにＤＰＣＨとＳＣＨとの間の相互相関値を決定する相互相関モジュール３０を含んでいる。シンボル電力測定モジュール３２は、ＳＣＨ送信と一時的にオーバーラップするＰ−ＣＣＰＣＨで検出された１または複数の複素シンボルの電力を測定する。上で説明したように、Ｐ−ＣＣＰＣＨは、各スロットの最初の２５６チップの間は送信されない。その代り、プライマリ及びセカンダリＳＣＨが、この期間中に送信される。したがって、ＳＣＨ送信と一時的にオーバーラップするＰ−ＣＰＣＨの１または複数の複素シンボルは、ＳＣＨによりＰ−ＣＣＰＣＨで誘発された不要な干渉によって引き起こされる。
【００２３】
モジュール３０，３２のアーキテクチャ及び動作は、従来のＷ−ＣＤＭＡ受信機の設計からよく知られている。モジュール３０によって決定された相互相関値、及びモジュール３２からの電力測定値は、干渉キャンセラモジュール１８により、ＤＰＣＨ処理モジュール１２によって出力されたシンボルに適用される補正値を決定するために使用されるしきい値処理・干渉器スケーリング(thresholding and interferer scaling)モジュール３４に入力される。
【００２４】
ここで図３を参照して、干渉信号処理モジュール１６の動作を説明する。ステップ４０において、Ｐ−ＣＣＰＣＨ電力測定モジュール３２は、Ｐ−ＣＣＰＣＨ処理モジュール１０によってＵＥフロントエンド１４から復調された、直交するＩ及びＱのＰ−ＣＣＰＣＨシンボルの電力の推定値を算出する。Ｐ−ＣＣＰＣＨフレームにおける各スロットの第１のシンボルのみが処理に使用される。各シンボルのパワー推定値ＳＰは、ＳＰ＝Ｉ2＋Ｑ2にしたがって算出される。
【００２５】
ステップ４２において、しきい値処理・干渉器スケーリングモジュール３４は、測定されたシンボル電力が所定のしきい値よりも大きいかどうかを判定する。もし大きい場合には、相互相関測定モジュール３０は、ステップ４４において、３ＧＰＰ  ２５．２１３で定義されるようにチャネル化符号“１”を乗算されたスクランブリング符号と送信されたＳＣＨパターンとの間の相互相関を算出するように動作する。相互相関は、無線フレームごとに算出された１５組の直交Ｉ及びＱ相互相関を有するスロットに対し、直交するＩ及びＱ成分ごとに算出される。この計算は、無線リンク当たり１度だけ行われる。
【００２６】
ＳＣＨ送信中の、直交Ｉ及びＱシンボルでのＰ−ＣＣＰＣＨとＳＣＨ送信されたパターンとの間の相互相関を表すＣＰ[１]からＣＰ[１５]までの結果として得られる相互相関値が算出され、無線リンクが解放されるまでフレームバッファに格納される。
【００２７】
ステップ４６において、ＵＥによって受信された各ＤＰＣＨチャネルに対して、相互相関測定モジュール３０は、各スロットごとに、対応するＤＰＣＨのチャネル化符号が乗算されたスクランブリング符号と送信されたＳＣＨパターンとの間の相互相関値ＣＤ１〜ＣＤＮの直交Ｉ及びＱ成分も算出する。無線フレームのスロットごとの相互相関値の数Ｎは、ＤＰＣＨの拡散率(spreading factor)に依存し、ここでＮはＮ＝２５６／ＤＰＣＨ＿ＳＦとして算出され、ここでＤＰＣＨ＿ＳＦはＤＰＣＨの拡散率である。ステップ４６において相互相関モジュール３０によって計算された相互相関値は、スロットごとに、ＤＰＣＨについて無線フレーム当たり１５＊Ｎ個の相互相関を有するものとして算出される。ステップ４６からの相互相関測定モジュール３０の出力は、ＣＤ[Ｉ，Ｊ]になる。ここでＩは、１から１５（１から１５のスロットに対応する）までの値を有し、Ｊは、１からＮ（スロットごとの相互相関の数に対応する）までの値を有する。これらの値は、無線リンクが解放されるまで、またはＤＰＣＨチャネル化符号が変化するまで、フレームバッファに格納される。そのような場合、これらの値は相互相関測定モジュール３０によって再計算される。
【００２８】
ステップ４８において、しきい値処理・干渉器スケーリングモジュール３４は、ステップ４４で算出されて格納されているＰ−ＣＣＰＣＨ／ＳＣＨ相互相関値ＣＰ[Ｉ]から、及びステップ４０で算出された現在のシンボル電力ＳＰから、現在のスロットＩに対する倍率(scaling factor)を算出するように動作する、ここで倍率Ｆは、Ｆ＝ｓｑｒｔ（ＳＰ／ＣＰ[Ｉ]）によって与えられる。倍率Ｆは、スロットごとに１度だけ計算される。
【００２９】
ステップ５０において、しきい値処理・干渉器スケーリングモジュール３４は、スロットごとに２つの入力、すなわちステップ４８で決定された倍率Ｆと現在のスロットＩに対してステップ４６から決定され格納されているＤＰＣＨ／ＳＣＨ相互相関値ＣＤ[Ｉ，１]〜ＣＤ[Ｉ，Ｎ]とをとる。各相互相関の各成分は、倍率Ｆを用いてスケーリング（拡大縮小）され、次式にしたがって、スケーリングされた相互相関値ＳＤが算出される。
【００３０】
ＳＤ１＿Ｉ＝Ｆ＊ＣＤ＿Ｉ[Ｉ，１]
ＳＤ１＿Ｑ＝Ｆ＊ＣＤ＿Ｑ[Ｉ，１]
ＳＤＮ＿Ｉ＝Ｆ＊ＣＤ＿Ｉ[Ｉ，Ｎ]
ＳＤＮ＿Ｑ＝Ｆ＊ＣＤ＿Ｑ[Ｉ，Ｎ]
直交Ｉ及びＱ成分の形態であるＳＤ１〜ＳＤＮの値は、しきい値処理・干渉器スケーリングモジュール３４によって干渉キャンセラモジュール１８に出力される。出力のレートは、スロット当たり、直交Ｉ及びＱ成分のＮ個のシンボルである。
【００３１】
ステップ５０で算出されたスケールリングされた相互相関値も、ステップ５２において、フレームバッファに格納される。これらの値は、推定されたシンボル電力ＳＰがステップ４２で上記の所定のしきい値より低いと判定された場合には、ステップ５４において、引き続くフレーム中においてフレームバッファから読み出される。
【００３２】
ステップ５０で算出されスケーリングされた相互相関値は、次に、ＳＣＨによって誘発された干渉を除去するために、ＳＣＨ送信と一時的にオーバーラップするスロット中のＤＰＣＨシンボルに適用される。干渉キャンセラモジュール１８は、３つの入力、すなわち、ＳＣＨ送信に対してオーバーラップするスロットからのＤＰＣＨシンボルと、ステップ５０で算出されスケーリングされた相互相関値と、Ｗ−ＣＤＭＡ受信機の上位レイヤから利用可能なタイミングパラメータであるフレームオフセット(Frame Offset)ＦＯとを使用する。この例では、フレームオフセットＦＯは、２５６個のシステムチップの倍数として規定されている。Ｐ−ＣＣＰＣＨとＤＰＣＨとの間のタイミングであって、これらの２つのチャネルの各々におけるスロット間のフレームオフセットを示すタイミングの一例が、図４に示されている。
【００３３】
（ＳＣＨ送信に対応する）Ｐ−ＣＣＰＣＨの第１のシンボルと一時的にオーバーラップするＳ１からＳＮまでのＤＰＣＨシンボルは、次式にしたがって、干渉キャンセラモジュール１８により処理される。
【００３４】
Ｓ１＿Ｉ＝Ｓ１＿１−ＳＤ＿Ｉ
Ｓ１＿Ｑ＝Ｓ１＿Ｑ−ＳＤ＿Ｑ
ＳＮ＿Ｉ＝ＳＮ＿１−ＳＤＮ＿Ｉ
ＳＮ＿Ｑ＝ＳＮ＿Ｑ−ＳＤＮ＿Ｑ
残るＤＰＣＨシンボルは、すべて、変化せずに干渉キャンセラモジュール１８を通過する。
【００３５】
上記から、Ｐ−ＣＣＰＣＨにおいてＳＣＨによって誘発された干渉の除去は、干渉測定のための追加の回路を必要としないことが理解されよう。干渉測定は、従来のＰ−ＣＣＰＣＨ復調器の一部を既に形成している回路を使用して行われる。上記説明の干渉の除去の重要な特徴は、１つのスペクトラム拡散受信機チャネル（この場合、Ｗ−ＣＤＭＡダウンリンク中のＰ−ＣＣＰＣＨ）から他のスペクトラム拡散受信機チャネル（この場合、同じＷ−ＣＤＭＡ受信機中のＤＰＣＨ）への干渉信号の効果的な転移である。
【００３６】
図１から図４に示された実施形態の代替実施形態が図５から図８に示されている。図５は、Ｗ−ＣＤＭＡ受信機の一部も構成するＣＰＩＣＨ処理モジュール７０を示している。Ｐ−ＣＣＰＣＨ処理モジュール１０と同様に、ＣＰＩＣＨ処理モジュールは、ＵＥフロントエンド１４から入力を受信する。ＣＰＩＣＨ処理モジュール７０は、スクランブリング符号及びチャネル化符号を使用して、ＵＥフロントエンド１４からのデジタル化された信号を復調する。前に説明したように、ＤＰＣＨ処理モジュール１２は、対応するＤＰＣＨチャネルのスクランブリング符号及びチャネル化符号を使用して、デジタル化された信号を復調する。ＤＰＣＨチャネルにおけるこのＳＣＨ誘発干渉の除去を可能にするために、ＣＰＩＣＨ処理モジュール７０は、ＤＣＨトランスポートモジュール２０にＤＰＣＨ処理モジュール１２を相互接続する干渉キャンセラモジュール７４と協働する干渉信号処理モジュール７２を含んでいる。
【００３７】
干渉信号処理モジュール７０のさらに詳細な図が、図６に図式的な形態で示されている。この図から分かるように、干渉信号処理モジュール７０は、ＣＰＩＣＨとＳＣＨとの間、及びさらにＤＰＣＨとＳＣＨとの間の相互相関値を決定する相互相関モジュール７６を含んでいる。シンボル電力測定モジュール７８は、ＳＣＨ送信に一時的に隣接するＣＰＩＣＨで検出された複素シンボルの電力を測定する。Ｐ−ＣＣＰＣＨと異なり、プライマリ及びセカンダリＳＣＨが送信される間、ＣＰＩＣＨの送信は中断されない。
【００３８】
モジュール７６，７８のアーキテクチャおよび動作は、従来のＷ−ＣＤＭＡ受信機の設計からよく知られている。モジュール７６によって決定された相互相関値、及びモジュール７８からの電力測定値は、干渉キャンセラモジュール７４により、ＤＰＣＨ処理モジュール１２によって出力されたシンボルに適用される補正値を決定するために使用されるしきい値処理・干渉器スケーリングモジュール８０に入力される。
【００３９】
ここで図７を参照して、干渉信号処理モジュール７２の動作を説明する。ステップ９０において、ＣＰＩＣＨシンボル電力測定モジュール７８は、ＣＰＩＣＨ処理モジュール７０によってＵＥフロントエンド１４から復調された直交Ｉ及びＱのＣＰＩＣＨシンボルの電力の推定値を算出する。ＣＰＩＣＨシンボルのＩ及びＱの成分の平均的な振幅は、それぞれ次のように算出される。
【００４０】
【数１】
2008530824.tif 000003
【００４１】
ここでｋは、（図８に示したように）−４から４までの値を有する。他の実施形態において、ｋの取り得る値は変わってもよい。なおこの計算では、ＳＣＨ上でシンボルの送信と一時的にオーバーラップする「ゼロ位置」シンボルは用いられないが、その代りにＳＣＨ上でシンボルの送信に一時的に隣接するシンボルが用いられる。
【００４２】
測定されたＣＰＩＣＨシンボルの平均電力ＰAveは、次のようにＣＰＩＣＨシンボル電力測定モジュール７８によって計算される。
【００４３】
ＰAve＝(ＣIAve)2＋(ＣQAve)2
次に、ＳＣＨ送信と一時的にオーバーラップするＣＰＩＣＨシンボルの出力電力ＳＰは、次のように算出される。
【００４４】
ＳＰ0＝Ｐ0−ＰAve
測定された電力ＳＰ0がしきい値（９２）よりも大きい場合、処理は（１０）を継続し、そうでなければ前フレームから算出された値の群がバッファ（１２）から読み出され、除去に使用される。
【００４５】
この場合、相互相関モジュール７６は、３ＧＰＰ  ２５．２１３で定義されるようにＣＰＩＣＨチャネル化符号“０”が乗算されたスクランブリング符号とＳＣＨパターン送信機との間の相互相関を算出するように、ステップ９４において動作する。相互相関は、無線フレーム当たり１５組のＩ及びＱ相互相関を持つスロットに対し、Ｉ及びＱの成分ごとに算出される。この計算は、無線リンク当たり１度だけ行われる。Ｉ及びＱシンボル成分の結果として得られる相互相関値ＣＰ[１]〜ＣＰ[１５]が算出され、無線リンクが解放されるまでフレームバッファに格納される。
【００４６】
ステップ９６において、ＵＥで受信された各ＤＰＣＨチャネルに対して、相互相関測定モジュール７６は、スロットごとに、対応するＤＰＣのチャネル化符号が乗算されたスクランブリング符号と送信されたＳＣＨパターンとの間の相互相関値ＣＤ1〜ＣＤnの直交Ｉ及びＱ成分も算出する。無線フレームのスロットごとの相互相関値の数Ｎは、ＤＰＣＨの拡散率に依存し、ここでＮはＮ＝２５６／ＤＰＣＨ＿ＳＦとして算出され、ＤＰＣＨ＿ＳＦはＤＰＣＨの拡散率である。相互相関値は、スロットごとに、ＤＰＣＨについて無線フレームごとに１５＊Ｎ個の相互相関を有するものとして算出される。ステップ９６からの相互相関測定モジュール３０の出力は、ＣＤj[ｉ]になる。ここでｉは、１から１５（１から１５のスロットに対応する）までの値を有し、ｊは、１からＮ（スロットごとの相互相関の数に対応する）までの値を有する。これらの値は、無線リンクが解放されるまで、またはＤＰＣＨチャネル化符号が変化するまで、フレームバッファに格納される。そのような場合、これらの値は相互相関測定モジュール７６によって再計算される。
【００４７】
ステップ９８において、しきい値処理・干渉器スケーリングモジュール８０は、ステップ９４で算出されて格納されているＣＰＩＣＨ／ＳＣＨ相互相関値ＣＰ[ｉ]から、及びステップ９６で算出された現在の電力ＳＰ0から、現在のスロットｉに対する倍率の推定値を算出するように動作する。ここで倍率Ｆは次式で与えられる。
【００４８】
【数２】
2008530824.tif 000004
【００４９】
倍率Ｆは、スロットごとに１度だけ算出される。
【００５０】
ステップ１００において、しきい値処理・干渉器スケーリングモジュール８０は、スロットごとに２つの入力、すなわちステップ９８で決定された倍率Ｆと現在のスロットｉに対してステップ９６から決定され格納されているＤＰＣＨ／ＳＣＨ相互相関値ＣＤ1[ｉ]〜ＣＤN[ｉ]とをとる。各相互相関の各成分は、倍率Ｆでスケーリングされ、次式にしたがって、スケールリングされた相互相関値ＳＤが算出される。
【００５１】
ＳI1_0＝Ｆ0ＣＤI1[ｉ]
ＳQ1_0＝Ｆ0ＣＤQ1[ｉ]
…
ＳIN_0＝Ｆ0ＣＤIN[ｉ]
ＳQN_0＝Ｆ0ＣＤQN[ｉ]
直交Ｉ及びＱ成分の形態であるＳＤ1_0〜ＳＤN_0の値は、しきい値処理・干渉器スケーリングモジュール８０によって干渉キャンセラモジュール７４に出力される。出力のレートは、スロット当たり、直交Ｉ及びＱ成分のＮ個のシンボルである。ステップ１００で算出されたスケールリングされた相互相関値も、ステップ１０２において、フレームバッファに格納される。これらの値は、推定されたシンボル電力ＳＦ0がステップ９２で上記の所定のしきい値より低いと判定された場合には、ステップ１０４において、フレームバッファから引き続いて読み出される。
【００５２】
ステップ１００で算出されスケールリングされた相互相関値は、次に、ＳＣＨ送信と一時的にオーバーラップするスロットにおいてＳＣＨによって誘発された干渉を除去するために、そのスロットのＤＰＣＨシンボルに適用される。干渉キャンセラモジュール７４は、３つの入力、すなわちＳＣＨ送信とオーバーラップするこのスロットからのＤＰＣＨシンボルと、ステップ１００で算出されスケーリングされた相互相関値と、Ｗ−ＣＤＭＡ受信機の最上位レイヤから利用可能なタイミングパラメータであるフレームオフセットＦＯとを使用する。ＣＰＩＣＰとＤＰＣとの間のタイミングであって、これらの２つのチャネルの各々におけるスロット間のフレームオフセットを示すタイミングの一例が、図８に示されている。
【００５３】
現在のＣＰＩＣＨスロットの第１のシンボルと時間的にオーバーラップするＤＰＣＨ  Ｓ1_0〜ＳN_0シンボルは、干渉キャンセラモジュール７４によって、次のように処理される。
【００５４】
ＳI1_0＝ＳI1_0−ＳＤI1_0
ＳQ1_0＝ＳQ1_0−ＳＤQ1_0
…
ＳIN_0＝ＳIN_0−ＳＤIN_0
ＳQN_0＝ＳQN_0−ＳＤQN_0
上に説明した方式の変形では、ＳＣＨシンボル送信と一時的にオーバーラップする（図８のＣ0が参照される）シンボルに対して隣接するシンボルに、類似の処理ステップを適用することができる。例えばこれらの処理ステップを適用可能な候補としては、図８の符号号Ｃ-1，Ｃ1のシンボルがある。
【００５５】
当業者には、ここに説明した誘発された干渉を測定、除去する上記の方法および装置には多くの変化および修正があってもよく、そしてそれは本発明の範囲内にあることが理解されるであろう。
【図面の簡単な説明】
【００５６】
【図１】Ｗ‐ＣＤＭＡ受信機の第１の実施形態の部分を形成する、選択されたモジュールの概略図である。
【図２】図１に示されたモジュールの１つの詳細図を示す概略図である。
【図３】図２に示されたモジュールによって実行されるステップを示すフローチャートである。
【図４】図１及び図２に示されたモジュールにより受信され処理された２つのチャネルにおける、相対スロット及びシンボルタイミングを示すタイミング図である。
【図５】Ｗ‐ＣＤＭＡ受信機の第２の実施形態の部分を形成する、選択されたモジュールの概略図である。
【図６】図５に示されたモジュールの１つの詳細図を示す概略図である。
【図７】図６に示されたモジュールによって実行されるステップを示すフローチャートである。
【図８】図５及び図６に示したモジュールにより受信され処理された２つのチャネルにおける、相対スロット及びシンボルタイミングを示すタイミング図である。
【図１】
2008530824.tif 000005
【図２】
2008530824.tif 000006
【図３】
2008530824.tif 000007
【図４】
2008530824.tif 000008
【図５】
2008530824.tif 000009
【図６】
2008530824.tif 000010
【図７】
2008530824.tif 000011
【図８】
2008530824.tif 000012
【国際調査報告】
2008530824.tif 000013
2008530824.tif 000014